(57)【要約】【課題】  複数種類のネットワークシステムを跨ってデータを送ることになる場合に、予めその経路上において、最も効率よく安定してデータを送受信できるようにすると共に、そのために必要なデータ長や送信間隔等を、ユーザがなるべく簡単に設定できるようにしたネットワーク機器を提供する。【解決手段】  ネットワークシステムの種別毎の固有特性を記憶する手段と、サーバとクライアント間を結ぶ各ネットワークシステムの種別等を、画面上に表示したメニューリストでユーザが簡単に設定できる機能と、該メニューリストで設定する順序がそのまま各ネットワークシステムの接続順序を示す機能を備えた設定手段と、前記固有特性と前記接続順序の情報を組合わせて、送信データの適切なデータ長や送信タイミングを算出・設定し、所望の性能が得られるようにする。【選択図】  図５
2009027660.tif 000002
【特許請求の範囲】
【請求項１】
放送等を受信する機能と、該受信した放送のコンテンツ等を記憶する機能と、ネットワークへの接続機能とを備え、前記記憶機能に蓄積したコンテンツを、前記ネットワーク接続機能を介して、同等のネットワーク接続機能を備えた別の機器へ送信機能を備え、さらに該コンテンツデータを送信する際に、該データの受信側となる宛先機器毎に、送信データの長さや送出のタイミングを制御する機能を備えたネットワーク接続機能を備えることにより、データ送受信の安定性を向上させるようにしたネットワーク機器において、
前記ネットワークが複数の種類のネットワークシステムから成っており、これら異種のネットワークシステムを跨いで、前記コンテンツデータが送信側から受信側のネットワーク機器へ送信される場合に、
前記ネットワーク接続機能が適切にデータ送信を制御できるようにするために、前記複数種類あるネットワークそれぞれの伝送特性を記憶する機器データ記憶機能と、前記異種ネットワークの接続順序を、送信側のネットワーク機器のユーザが該ネットワーク機器に設定をするためのネットワーク操作機能と、さらに前記伝送特性と接続順序を元に、前記接続順となる経路でコンテンツデータの送信する際に、伝送性能が最適となる送信データの制御パラメータを算出するパラメータ制御部を備えることにより、異種のネットワークを跨いで接続されたネットワーク機器間でのコンテンツ送受信を、安定して出来ることを特徴とするネットワーク機器。
【請求項２】
請求項１に記載のネットワーク機器において、ネットワークそれぞれの伝送特性を記憶した前記機器データ記憶機能が、外部のネットワークと接続する機能を備え、該外部ネットワーク上に接続された外部の記憶機器に記憶された最新の機器データをダウンロードする機能を備えることにより、
前記ネットワーク操作機能により接続順序を設定した後、前記パラメータ制御部が制御パラメータを算出する際に、常に最新の情報に基づく設定が可能になることを特徴とするネットワーク機器。
【請求項３】
２つ以上のネットワーク機器の間を接続するネットワークが、複数の種類のネットワークシステムから成っており、これら異種のネットワークシステムを跨いで、前記ネットワーク機器同士がデータの送受信をする場合に、
前記ネットワークに接続されている相手機器を検出し、これを列挙して表示する機能を備え、この機能により表示された相手機器候補の中から、自機器とデータを送受信する相手機器を一つ指定する機能と、これに続いて、自機器と相手機器の間に挟まれた複数のネットワークシステムを、自機器に最も近い側から順番にリスト表示等から選択できるようにした機能を備えることで、自機器から相手機器へ至るネットワーク経路において、出現するネットワークシステムの種類とその順序を同時に設定することができることを特徴とするネットワーク設定方法。
【請求項４】
請求項３に記載のネットワーク設定方法において、リスト表示されたネットワークシステムの一つを選択すると、更に該ネットワークシステムを提供しているメーカや該ネットワークシステムの型式などの、詳細リストが表示され、該リストから更に前記ネットワークシステムについて適切に示した情報を、選択できる機能を備えることを特長とするネットワーク設定方法。
【発明の詳細な説明】
【技術分野】
【０００１】
本発明は、ネットワーク機器およびネットワーク設定方法に関する。
【背景技術】
【０００２】
放送された映像を大量にハードディスクに蓄積し、ホームネットワークを介して蓄積した映像を再配信して、離れた部屋でも蓄積した映像を楽しむことが出来つつある（例えばリビングにあるハードディスクレコーダに録画された映像を、リビングから離れた書斎のパソコンに呼び出して視聴できる）
このようなコンセプトを具現化するために、映像機器やパソコンに蓄積された映像や音楽等のコンテンツを、ホームネットワークで共有する際に必要となる機器相互接続の標準化がＤＬＮＡ（Ｄｉｇｉｔａｌ Ｌｉｖｉｎｇ Ｎｅｔｗｏｒｋ Ａｌｌｉａｎｃｅ）によって進められている。
【０００３】
ＤＬＮＡでは、ホームネットワークを介して蓄積済みのコンテンツだけでなく、ライブ放送映像や携帯端末との連携などもサポートしている。
【０００４】
ＤＬＮＡの基本的な構成では、コンテンツを蓄積した装置（サーバ）には、映像として例えばＭＰＥＧ−２符号化されたデジタルコンテンツが記憶され、また該映像に関する情報（ジャンルや説明、録画時刻など）も同じく記憶されている。
【０００５】
そして上記したように、例えばリビングにサーバがあり、書斎にパソコンなど映像を表示するクライアントが置かれるようなシステム構成において、書斎にいるユーザがクライアントを使ってサーバを探して、サーバから前記映像に関する情報をリストにして取り寄せ、クライアントが取り寄せたリストを画面に表示し、ユーザが再生する映像を該リストから選択すると、選択されたコンテンツを示す情報がネットワークを介してサーバへ送信される。
【０００６】
そして、サーバはこの選択情報に応答して、指定されたコンテンツをホームネットワーク経由でクライアントに送信、クライアントは受信したデータを復号化してユーザへ表示する。
【０００７】
このとき、データの伝送に使われるホームネットワークには、イーサネット（登録商標）（ＩＥＥＥ８０２．３ｕで定義される有線のネットワーク）や無線ＬＡＮ（ＩＥＥＥ ８０２．１１で定義されている２．４ＧＨｚや５ＧＨｚ帯を利用する無線通信）がネットワークシステムとして用いられ、またこれらを宅内に張り巡らすために、ネットワークの分岐点にハブ（ＨＵＢ）を用いて、１本のホームネットワークに複数のクライアントやサーバをスター型に接続することが想定されている。ただし、それらをどのように接続して利用するか、これはユーザの自由である。
【０００８】
【特許文献１】特開２００３−３４８１１８号公報
【非特許文献１】DLNA Home Networked Device Interoperability Guidelines v1.0                  および同Expanded
【発明の開示】
【発明が解決しようとする課題】
【０００９】
このように、ホームネットワークを介した相互接続により、サーバに蓄積された映像等をホームネットワークで接続されたクライアントで視聴することが可能になりつつある。ここで上記ホームネットワークは前記したように、各種のネットワークシステムをユーザが自宅の環境や、接続する機器（例えばパーソナルコンピュータなども含む）に応じて、自由にアレンジできる。
【００１０】
しかし、複数の種類のネットワークシステムを混在させて使用することを許すと、サーバからクライアントに至る間に、異なるネットワークシステムを跨ぐ箇所が生じることが考えられる。このようなとき、各ネットワークシステムにはそれぞれのシステム毎、あるいは同じ規格のシステムでもメーカの違いによって、効率よく安定してデータを送受信できるデータの長さや、データ送受信の間隔などその機器固有の特性があるために、特定の経路を通過したデータは、サーバ側（またはクライアント側）で期待するデータのスループットを下回ったり、安定しなかったりといった問題を起こす可能性がある。
【００１１】
また一般にネットワークの経路情報の取得は、ルータのようなネットワークシステムで利用されるＳＮＭＰ（Ｓｉｍｐｌｅ Ｎｅｔｗｏｒｋ Ｍａｎａｇｅｍｅｎｔ Ｐｒｏｔｏｃｏｌ）等の利用が考えられているが、一般ユーザ向けのシステム、特に宅内のネットワークにおいて利用するようなシステムでは、コストも掛かることから余り現実的ではない。
【００１２】
本発明が解決しようとする問題点は、上記のように複数種類のネットワークシステムを跨ってデータを送ることになる場合に、予めその経路上において、最も効率よく安定してデータを送受信できるようにすると共に、そのために必要なデータ長や送信間隔等を、ユーザがなるべく簡単に設定できるようにしたネットワーク機器を提供することにある。
【課題を解決するための手段】
【００１３】
本発明は、異種のネットワークシステムを接続して構成されたホームネットワークにおいて、機器間で送受信するデータのデータ長や送信間隔を最適に設定して、上記問題点を解決できるネットワーク機器を提供するために、
各ネットワークシステムの固有特性を記憶したネットワーク機器リスト記憶手段と、サーバとクライアント間を接続する各ネットワークシステムの種別または該システムの製造メーカあるいは機器名称を、画面上に表示されたネットワーク機器リストで簡単に設定する機能と、各ネットワークシステムの接続順序をユーザが指示して列挙するための機能を備えたネットワーク操作手段と、該選択入力された各ネットワーク機器の固有特性データと前記接続順序の情報を組合わせて、送信データの適切なデータ長や送信タイミング等を算出・設定するパラメータ制御手段、そしてパラメータ制御手段によって設定された制御パラメータにしたがって送信データをネットワークへ送出するネットワークインターフェース手段とを具備する。
【発明の効果】
【００１４】
ホームネットワークに接続されたネットワーク機器間で、映像や音楽のデータを送受信し、受信したデータを再生してユーザへ提示する機器において、データが複数種類のネットワークシステムを跨いで伝送されることを、画面に表示されたリストを選択するといった簡単な操作で設定することが可能で、これにより送信機器から受信機器まで伝送されるデータの伝送が、最も安定するようにデータ長やデータ送出の間隔等を調整するので、複数種類のネットワークシステムを混在して利用しているような環境でも、安定した再生映像、再生音楽を楽しむことが出来る利点がある
【発明を実施するための最良の形態】
【００１５】
異なるネットワークシステムを利用して構築されたホームネットワークに接続された、コンテンツサーバとクライアントにおいて、
特に２つ以上区間で異なるネットワークシステムを跨いで、映像や音声のデータが伝送される場合に、安定して映像や音声を再生するという目的を、ユーザが入力したネットワークシステムの接続経路と、各区間のネットワークシステムに固有の特性を元にして、ネットワークインターフェース部を制御するパラメータを生成し、これをコンテンツデータ送信の際にネットワークインターフェースが利用することにより、ユーザがクライアントにおいて、サーバから伝送された映像や音楽の再生を安定して視聴できることを実現した。
以下、本発明の詳細を図示した各実施例によって説明する。
（実施例１）
図１は、本発明の実施例１に係わる全体の構成図である。本実施例は、宅内でのコンテンツサーバとクライアント、そしてこれらを結ぶホームネットワークの全体構成を示しており、ユーザがリモコンでクライアントで視聴したいコンテンツを選択をすると、同選択がホームネットワークを介して、コンテンツサーバへ伝わり、コンテンツサーバはこの選択に従って、所望のコンテンツデータ（映像や音楽）を、ホームネットワークを介してクライアントへ送信し、クライアントがこれを受信して再生すると、ユーザが望むコンテンツを視聴できる。
【００１６】
図１において、１はホームネットワーク３に接続されたクライアントで、ホームネットワーク３経由で後述のコンテンツサーバ２から送信される映像や音楽等のデータを再生をする機能を備える。２はコンテンツサーバであり、放送局６から発信された放送波をアンテナ５で受信し、受信した映像や音楽などのコンテンツを、内蔵するハードディスク等の記憶デバイスに記録・蓄積する機能と、クライアント１からの要求に従って、これら蓄積したコンテンツの情報をクライアント１へ提供する機能、そしてクライアント１から前記コンテンツ情報を元に要求されたコンテンツのデータを記憶デバイスから呼び出して、このデータをネットワーク３へ出力する機能を備える。
【００１７】
３はホームネットワークであり、例えばHTTP（Hyper Text Transport Protocol）により映像や制御情報をクライアント１とコンテンツサーバ２が送受信するために使われる有線あるいは無線のネットワークシステムである（本実施例では宅内を想定しているため、ホームネットワークとしているが、実施形態として宅内と宅外、あるいは離れた家同士のネットワークであることを除外はしない）。
【００１８】
４はクライアント１で映像や音楽などコンテンツの視聴を楽しんでいるユーザであり、ユーザはクライアント１の表示部を参照しながらリモコン７を使ってコンテンツの選択をできる。５はコンテンツサーバ２が放送映像を受信するためのアンテナ、６は放送局、７は後述するようにユーザ４がクライアント１においてコンテンツの選択に使用する場合、あるいはコンテンツサーバ２においてネットワークの設定に利用するリモコンである。
【００１９】
９は選択情報７０２に従ってコンテンツサーバ２からホームネットワーク３へ送出されたコンテンツデータ、７０２はクライアント１においてユーザ４が視聴を希望して選択したコンテンツを示す情報を含む選択情報、８０１はコンテンツサーバ２に蓄積されているコンテンツに関する情報を含んでいるコンテンツ情報である。
【００２０】
図２はクライアント１の構成を示しており、ここで１０１は映像や操作用のメニューなどを表示する表示部、１０２はコンテンツサーバ２からホームネットワーク３を介して取得したコンテンツ情報８０１を、表示部１０１で表示するリスト信号８０２に変換しこれを表示部１０１へ出力するリスト作成部、１０３はコンテンツサーバ２からホームネットワーク３を介して取得したコンテンツデータ９（例えばＭＰＥＧ２に符号化された映像など）を、表示部１０１でユーザ４へ提示するために映像信号９１へデコード処理するコンテンツデコード部である。
【００２１】
１０４はホームネットワーク３を介してコンテンツサーバ２からコンテンツデータ９やコンテンツ情報８０１などを受信し、これらをそれぞれコンテンツデコード部１０３やリスト作成部１０２へ出力し、またユーザ４が視聴を希望するコンテンツを指示するための情報を含む選択情報７０２をコンテンツサーバ２へ送信するためのネットワークインターフェース部である。
【００２２】
１０５はユーザ４が表示部１０１に表示されたコンテンツ情報８０１を参照して、リモコン７を使って視聴したいコンテンツをコンテンツ選択７０１で指示するためのクライアント操作部で、選択された結果は選択情報７０２としてネットワークインターフェース部１０４へ出力される。
【００２３】
図３はコンテンツサーバ２の構成を示しており、ここで２０１はアンテナ５で受信した放送波から指定されたチャンネルを取出すチューナ部、２０２はコンテンツサーバ２をクライアント１にホームネットワーク３を介して接続して、コンテンツデータ９やコンテンツ情報８０１等の送受信をするためのネットワークインターフェース部で、前述のクライアント１のネットワークインターフェース１０３と対を成す機能を有する。
【００２４】
２０３はチューナ部２０１が出力する映像データ２０１１を、後述のコンテンツを蓄積するためのコンテンツ記憶部２０６へ格納したり、逆に蓄積したコンテンツをクライアント１で一覧表示するためのコンテンツ情報８０１と、クライアント１から受信した前述の選択情報７０２を受けて、これに対応するコンテンツデータ９を、ネットワークインターフェース部２０２を介してクライアント１へ送信する制御を行うコンテンツ蓄積制御部である。
【００２５】
２０４は後述のネットワーク接続に関わる各種設定を、ユーザ４がリモコン７で操作するためのネットワーク操作部で、操作に必要なメニューの表示をメニュー表示部２０７へ出力するとともに、メニューからの選択等よるユーザ操作を受けて、後述のネットワーク機器リスト記憶部２０５から取出した機器データ２０５１を、後述のパラメータ制御部２０８へ出力する機能を備える。
【００２６】
２０５は、ホームネットワーク３を構成する各種ネットワークシステムの特性（入力でデータを受信してから出力へ出すまでの処理時間や、この際に最も転送効率がよいデータ長など）を予め機器データ２０５１として記憶したネットワーク機器リスト記憶部であり、記憶している情報はネットワーク操作部２０４へ機器データ２０５１として出力する。
【００２７】
２０６はチューナ等で受信したコンテンツを蓄積しておくためのコンテンツ記憶部であり、例えばハードディスクなどを用いる（本図ではコンテンツサーバ内にコンテンツ記憶部を有するように記述しているが、コンテンツサーバ２から同様の操作が可能であれば、内蔵に限定するものではない）。
【００２８】
２０７はユーザ４がネットワーク操作部２０４でホームネットワーク３の設定操作をするためのメニューを表示するメニュー表示部、２０８は前述の機器データ２０５１と、後述するようにコンテンツサーバ２からコンテンツデータ９をクライアント１へ送信する際に通過するホームネットワーク３において、ホームネットワーク３を構成する各種ネットワークシステムどの順番で通過するのか、といった経路情報とを合わせて、コンテンツデータ９を送信する際に最も安定してデータを送信できるデータ長やその送信間隔を制御するためのデータ（制御パラメータ２０５２）を生成するパラメータ制御部であり、生成した制御パラメータ２０５２はネットワークインターフェース部２０２へ出力される。
【００２９】
図４は本実施例において、ホームネットワークに接続されたクライアントを登録するための、ネットワーククライアント登録メニューの例示であり、このメニューからネットワークの設定を開始する。ここには図示するように、ネットワーク接続されたクライアントの一覧が表示される。本実施例ではクライアントが１台だけの場合を例示しているので、本表示例においてもＮｏ．１に「クライアント」という名称のクライアントが一つだけリストアップされている。
【００３０】
そして、ユーザ４はリモコン操作でこのリスト中からこの後の経路設定をするクライアントを一つ選択する。なお、クライアントの検出にはＤＬＮＡ等でも利用されているユニバーサル・プラグ・アンド・プレイ（ＵＰｎＰ）のデバイス発見手順などを利用することを想定する（ＵＰｎＰはデバイスを発見できるが、それがネットワーク上でどのような経路で接続されたところに有るのか、といった経路に関する情報は一般に得難い）。
【００３１】
図５は本実施例において例示するホームネットワーク３の構成である。
【００３２】
本構成ではコンテンツサーバ２とクライアント１の間は、コンテンツサーバ２側から順番にみると、まずコンテンツサーバ２の内蔵イーサネット（登録商標）からスタートし、接続インターフェースＡ３１（具体的には１００ＢＡＳＥ−Ｔなどのイーサネット（登録商標）ケーブル）を介して、異種のネットワークをブリッジするメディアコンバータＡ３５へと接続され、ここでイーサネット（登録商標）から電灯線通信へネットワークシステムの変換を行い、さらに同様に接続インターフェースＢ３２（ここでは、宅内の電灯線）を介してメディアコンバータＢ３６へ接続し、ここで電灯線通信から無線ＬＡＮへ変換を行い、最後に接続インターフェースＣ３３（ＩＥＥＥ８０２．１１ａなど）を介してクライアント１の内蔵無線ＬＡＮへとネットワークを連ねている様子を示している。
【００３３】
すなわち、本実施例では３種類のネットワークシステムを介してコンテンツサーバ２とクライアント１が接続されていることになる。
【００３４】
図６は図４において、設定をするクライアントを選択した後、「次へ進む」としたときに表示される設定画面の例示である。本設定画面では、図５で示したように、サーバ側から順番にクライアントへ向かって辿っていくときに、各接続インターフェースがここに示されているネットワークシステムのいずれであるのかを、リモコン７の操作で選択する。例えば、図５の接続にしたがうと、まず接続インターフェースＡは「イーサネット（登録商標）」を選択すればよく、また接続インターフェースＢは「電灯線通信」を選択すれば良いことになる。
【００３５】
また、本実施例のように接続インターフェースが更に有る場合は、「更にお使いのインターフェースはありますか」という質問に対して「はい」と答えることによって図７に示すように接続インターフェースＣについて入力できる画面が現れる。
【００３６】
また、図６で接続インターフェースＢの電灯線通信のところに例示しているように、同じ電灯線通信でもメーカや型式で更に細かく設定が出来るように、機器リスト２０７１が表示されるようになっていても良く、これらの情報も先に説明したネットワークリスト記憶部２０５に予め記憶するようにできる。そして、これらの設定が完了したら、画面右下に示された「確定」を選択し、設定の確定と終了をする。
【００３７】
図８は使用しているネットワークシステムの選択が「確定」するとパラメータ制御部２０８が作成するネットワーク設定テーブルの例である。図示するように、各クライアント名毎に設定パラメータをテーブルとして用意している（図中「最大データ長」とは、例えばＴＣＰパケットの最大ウインドウサイズのことである）
図９は本実施例における、設定からコンテンツデータの送信に至るまでのフローチャートである。
【００３８】
以下、本発明の実施の形態について図１から図９を用いて説明する。
【００３９】
図１に示すように、アンテナに接続されたコンテンツサーバ２と、クライアント１がホームネットワーク３で接続され、ユーザ４はリモコン７でクライアント１を操作して、コンテンツサーバ２に蓄積したコンテンツを、ホームネットワーク３を介して視聴したいと考えている。
【００４０】
なお、以下で（Ｓ１）から（Ｓ１１）は図９のシーケンスのステップを示している。
【００４１】
まず利用するクライアント１の電源を投入し、次いでコンテンツサーバ２においてネットワーククライアント登録メニューを開く（Ｓ１，Ｓ２、Ｓ３）。すると、コンテンツサーバ２はネットワークに接続されているクライアント機器を自動的に発見し、この結果を図４のように表示する。そして、ユーザが「クライアント」をリストから選択して、設定手順を次に進める（Ｓ４）と、図６に示すネットワーク設定メニューが表示される。次に、表示された設定メニューにおいて、各接続インターフェースに該当するものを、コンテンツサーバ２に近い側から順次選択・設定する（Ｓ５）。必要な選択を完了させると、設定に基づいて図８に示すように、パラメータ制御部２０８の機能によって、各クライアントに対して、コンテンツデータ９の送信に適した設定が用意される（Ｓ６，Ｓ７）
以上の操作によって、コンテンツサーバ２とクライアント１を接続するホームネットワーク３の構成が設定されたことになる。
【００４２】
次に、ユーザ４はクライアント１から、リモコン７の操作によって所望のコンテンツの再生を行う。まず、コンテンツ情報８０１をコンテンツサーバ２から取寄せ、表示されたリストの中から、再生したいコンテンツを選択（Ｓ８）、すると選択されたコンテンツがコンテンツサーバ２へ要求され、コンテンツ蓄積制御部２０３が所望のコンテンツデータ９をコンテンツ記憶部２０６から取り出す（Ｓ９）。
【００４３】
そして、ネットワークインターフェース２０２はコンテンツデータ９をホームネットワーク３へ送出するときに、そのコンテンツデータの宛先となっているクライアントの名前などをインデックスにして、図８に示す設定データをテーブルから取り出し、コンテンツデータを送信する際のデータ長や送信間隔等を制御する（Ｓ１０）。
【００４４】
最後にこれらの制御を経て、コンテンツデータ９はメディアコンバータＡ３５、同Ｂ３６を跨いで、イーサネット（登録商標）->電灯線通信->無線ＬＡＮと、各ネットワークインターフェースを介して、目的のクライアントまで送信される（Ｓ１１）。後は、クライアント１に受信されたコンテンツデータ９は、コンテンツデコード部１０３を経て表示部１０１へ至り、ユーザ４の視聴が可能となる。
【００４５】
以上のようにして本実施例によれば、複数種類のネットワークシステムに跨るようなホームネットワークにおいても、ユーザが設定画面に表示されたリストを選択するといった簡単な操作をするだけで、コンテンツサーバとクライアントを結ぶネットワークの特性と伝送経路を設定することが可能で、この設定により導き出されるネットワークの制御パラメータによって、コンテンツデータが複数種類のネットワークシステムを跨いで伝送される時でも、コンテンツデータの各宛先（すなわち、複数のクライアントからアクセスされたような場合でも）毎に、それぞれのデータを安定して伝送し、快適な視聴を可能にする。
【００４６】
なお本実施例において、図１０に示すように、クライアントＢ１０がホームネットワーク３に追加された場合は、上記説明した手順において、まずネットワーククライアント登録メニューに表示されるクライアントが２台になり（図１１）、またホームネットワーク３の構成も例えば、図１２のようにクライアントＢ１０がメディアコンバータＢ３６とイーサネット（登録商標）で接続されるような構成となっているとすると、パラメータ制御部２０８が生成するテーブルは図１３に示すようになる。
【００４７】
このように、パラメータ制御部２０８が生成するテーブルは、クライアントの台数の増減、また接続インターフェースの段数の増減によって随時書き換えられる。
（実施例２）
図１４は、本発明の実施例２に係る全体の構成図である。本実施例は、実施例１と同様に、宅内でのコンテンツサーバとクライアント、そしてこれらを結ぶホームネットワークの全体構成を示しているが、本実施例ではインターネット１１上に置かれたネットワーク機器サービス１２へコンテンツサーバ３から情報要求１２０１を送ると、その応答として設定情報１２０２が送信されるようになっており、これを受信することにより、各ネットワークシステム毎の特性を記憶しているネットワーク機器リスト記憶部２０５の情報を、最新のものに更新出来る点が異なる。なお、実施例１と同じ符号の説明は割愛する。
【００４８】
図１５は、本発明の実施例２に係わるコンテンツサーバ２の構成図である。２０９はインターネット１１を介してコンテンツサーバ２をネットワーク機器サービス１２へ接続するための外部ネットワークインターフェース部、１２０１はネットワーク機器リスト記憶部が自身が記憶している情報の更新をするために、ネットワーク機器サービス１２へ送信する情報要求、１２０２は前記情報要求１２０１に対するネットワーク機器サービス１２からの応答で設定情報である。
【００４９】
以下、本発明の実施の形態について図１４と図１５を用いて説明する。
【００５０】
本実施例では、コンテンツサーバ１で実施例１の手順と同様に、ネットワーククライアント登録メニューと、ネットワーク設定メニューにおいてユーザが適切に選択をすることによって、パラメータ制御部２０８が必要な制御パラメータを生成する。このとき、ネットワーク機器リスト記憶部２０５は、予め外部ネットワークインターフェース部２０９を介して情報要求１２０１を、ネットワーク機器サービス１２へ送信し、最新の機器データの有無を問い合わせ、更新が必要であれば、ネットワーク機器サービス１２から送信された設定情報１２０２を受信して、これを記憶し、前述のネットワーク設定メニューにおけるユーザ操作において、最新の設定情報を表示出来るように動作する。
【００５１】
以上のようにして本実施例によれば、最新の機器データに基づいて、より安定したコンテンツの送受信が可能になる。
【産業上の利用可能性】
【００５２】
コンテンツを複数種類のネットワークを跨いで送受信するようなコンテンツ共有視聴システムとして、パソコン、レコーダなどテレビ以外の機器との連携に対して、適用が可能である。
【図面の簡単な説明】
【００５３】
【図１】本発明の実施例１に係わる全体の構成図である。
【図２】本発明の実施例１に係わるクライアントの詳細ブロック図である。
【図３】本発明の実施例１に係わるコンテンツサーバの詳細ブロック図である。
【図４】本発明の実施例１に係わるネットワーククライアント登録メニューの例である。
【図５】本発明の実施例１に係わるホームネットワークの例である。
【図６】本発明の実施例１に係わるネットワーク設定メニューの例である。
【図７】本発明の実施例１に係わるネットワーク設定メニューの例である。
【図８】本発明の実施例１に係わるネットワーク設定テーブルの例である。
【図９】本発明の実施例１に係わる全体動作フローチャートである。
【図１０】本発明の実施例１に係わる全体構成図の別の例である。
【図１１】本発明の実施例１に係わるネットワーククライアント登録メニューの別の例である。
【図１２】本発明の実施例１に係わるホームネットワークの別の例である。
【図１３】本発明の実施例１に係わるネットワーク設定テーブルの別の例である。
【図１４】本発明の実施例２に係わる全体の構成図である。
【図１５】本発明の実施例２に係わるコンテンツサーバのブロック図である。
【符号の説明】
【００５４】
１…ライアント、２…コンテンツサーバ、３…ホームネットワーク、４…ユーザ、５…アンテナ、６…放送局、７…リモコン、９…コンテンツデータ、１０…クライアントＢ、１１…インターネット、１２…ネットワーク機器サービス、３１…接続インターフェースＡ、３２…接続インターフェースＢ、３３…接続インターフェースＣ、３４…接続インターフェースＤ、３５…メディアコンバータＡ、３６…メディアコンバータＢ、９１…映像信号、
１０１…表示部、１０２…リスト作成部、１０３…コンテンツデコード部、１０４…ネットワークインターフェース部、１０５…クライアント操作部、２０１…チューナ部、２０２…ネットワークインターフェース部、２０３…コンテンツ蓄積制御部、２０４…ネットワーク操作部、２０５…ネットワーク機器リスト記憶部、２０６…コンテンツ記憶部、２０７…ニュー表示部、２０８…パラメータ制御部、２０９…外部ネットワークインターフェース部、６００…放送受信検出信号、７０１…コンテンツ選択、７０２…選択情報、８０１…コンテンツ情報、８０２…リスト信号、１２０１…情報要求、１２０２…設定情報、２０１１…映像データ、２０５１…機器データ、２０５２…制御パラメータ
【図１】
2009027660.tif 000003
【図２】
2009027660.tif 000004
【図３】
2009027660.tif 000005
【図４】
2009027660.tif 000006
【図５】
2009027660.tif 000007
【図６】
2009027660.tif 000008
【図７】
2009027660.tif 000009
【図８】
2009027660.tif 000010
【図９】
2009027660.tif 000011
【図１０】
2009027660.tif 000012
【図１１】
2009027660.tif 000013
【図１２】
2009027660.tif 000014
【図１３】
2009027660.tif 000015
【図１４】
2009027660.tif 000016
【図１５】
2009027660.tif 000017